(57)【要約】【課題】  老人、子供、女性、病人などといった様々な使用者が、直感的に紫外線量を視認することができるようにすること。【解決手段】  この紫外線計は、平板状の本体部と、本体部の側面に設けられた、紫外線の量を検出する紫外線センサと、本体部の一方の平面側に設けられ、紫外線センサにより検出された紫外線の量を、紫外線の強さを示す所定のカラーコードによる表示、紫外線の強さを示す所定の文字列による表示、ＵＶインデックス値による表示、および紫外線センサの測定値の即値による表示で同時に表示する表示部１ａとを備える。【選択図】  図２
2006214762.tif 000002
【特許請求の範囲】
【請求項１】
平板状の本体部と、
上記本体部の側面に設けられた、紫外線の量を検出する紫外線センサと、
上記本体部の一方の平面側に設けられ、上記紫外線センサにより検出された紫外線の量を、紫外線の強さを示す所定のカラーコードによる表示、紫外線の強さを示す所定の文字列による表示、およびＵＶインデックス値による表示で同時に表示する表示部と、
を備えることを特徴とする紫外線計。
【請求項２】
平板状の本体部と、
上記本体部の側面に設けられた、紫外線の量を検出する紫外線センサと、
上記本体部の一方の平面側に設けられ、上記紫外線センサにより検出された紫外線の量を、紫外線の強さを示す所定のカラーコードによる表示、紫外線の強さを示す所定の文字列による表示、ＵＶインデックス値による表示、および上記紫外線センサの測定値の即値による表示で同時に表示する表示部と、
を備えることを特徴とする紫外線計。
【請求項３】
前記本体部の側面に設けられ前記本体部を懸垂させる取り付け部を備え、
前記紫外線センサは、上記取り付け部で前記本体部を懸垂させた状態における前記本体部の側面の上側半分のいずれかの位置に設けられ、紫外線の量を検出し、
前記表示部は、前記紫外線センサにより検出された紫外線の量に基づく紫外線の情報を表示すること、
を特徴とする請求項１または請求項２記載の紫外線計。
【請求項４】
前記取り付け部で前記本体部を懸垂させた場合に前記本体部の側面の上側半分のいずれかの位置であって前記紫外線センサに対して前記取り付け部を挟んで対向する位置に、前記紫外線センサにより紫外線の量を検出される際に操作される操作部を備えることを特徴とする請求項３記載の紫外線計。
【請求項５】
前記取り付け部は、首かけ用の紐を挿通させる孔を有し、その紐に対して前記本体部を回動自在に接続することを特徴とする請求項３または請求項４記載の紫外線計。
【請求項６】
紫外線の情報を表示する際に使用する電力を前記表示部に供給する電池と、
前記紫外線センサにより紫外線の量を検出される際に操作される操作部とを備え、
前記表示部は、上記操作部が操作されてから所定の時間だけ紫外線の情報を表示すること、
を特徴とする請求項３記載の紫外線計。
【発明の詳細な説明】
【技術分野】
【０００１】
本発明は、紫外線計に関するものである。
【背景技術】
【０００２】
従来、紫外線計としては、皮膚等の疾病を有する者のために紫外線量の積算値を測定し表示する装置、ＵＶ値（ＵＶインデックス）の測定機能を有する腕時計がある。その他、例えば特許文献１のように紫外線量をレベル表示する装置もある。
【０００３】
【特許文献１】実用新案登録第３０１５３２２号（要約、図１）
【発明の開示】
【発明が解決しようとする課題】
【０００４】
しかしながら、従来の紫外線計では、紫外線量の測定結果を表示する際に、単一の表示形態のみを使用するため、老人、子供、女性、病人などといった様々な使用者のすべてが、直感的に紫外線量を視認することが困難である。
【０００５】
本発明は、上記の問題に鑑みてなされたものであり、老人、子供、女性、病人などといった様々な使用者が、直感的に紫外線量を視認することができる紫外線計を得ることを目的とする。
【課題を解決するための手段】
【０００６】
上記の課題を解決するために、本発明では以下のようにした。
【０００７】
本発明に係る紫外線計の１つは、平板状の本体部と、本体部の側面に設けられた、紫外線の量を検出する紫外線センサと、本体部の一方の平面側に設けられ、紫外線センサにより検出された紫外線の量を、紫外線の強さを示す所定のカラーコードによる表示、紫外線の強さを示す所定の文字列による表示、およびＵＶインデックス値による表示で同時に表示する表示部とを備える。
【０００８】
これにより、カラーコードの色、文字列、およびＵＶインデックス値という３つの表示形態で同時に紫外線量の情報を表示するため、老人、子供、女性、病人などといった様々な使用者が、直感的に紫外線量を視認することができる。
【０００９】
また、本発明に係る紫外線計の１つは、平板状の本体部と、本体部の側面に設けられた、紫外線の量を検出する紫外線センサと、本体部の一方の平面側に設けられ、紫外線センサにより検出された紫外線の量を、紫外線の強さを示す所定のカラーコードによる表示、紫外線の強さを示す所定の文字列による表示、ＵＶインデックス値による表示、および紫外線センサの測定値の即値による表示で同時に表示する表示部とを備える。
【００１０】
これにより、カラーコードの色、文字列、ＵＶインデックス値および測定値の即値という４つの表示形態で同時に紫外線量の情報を表示するため、老人、子供、女性、病人などといった様々な使用者が、直感的に紫外線量を視認することができる。
【００１１】
また、本発明に係る紫外線計は、上記の紫外線計のいずれかに加え、次のようにしてもよい。つまり、この場合、紫外線計は、さらに、本体部の側面に設けられ本体部を懸垂させる取り付け部を備える。そして、紫外線センサは、取り付け部で本体部を懸垂させた状態における本体部の側面の上側半分のいずれかの位置に設けられ、紫外線の量を検出し、表示部は、紫外線センサにより検出された紫外線の量に基づく紫外線の情報を表示する。
【００１２】
これにより、使用者が紫外線計を握持したときに紫外線センサが上空からの紫外線を検出し易い位置に配置されるため、使用者が簡単かつ即座に紫外線量を測定することができる。
【００１３】
また、本発明に係る紫外線計は、上記の紫外線計のいずれかに加え、次のようにしてもよい。つまり、この場合、紫外線計は、取り付け部で本体部を懸垂させた場合に本体部の側面の上側半分のいずれかの位置であって紫外線センサに対して取り付け部を挟んで対向する位置に、紫外線センサにより紫外線の量を検出される際に操作される操作部を備える。
【００１４】
これにより、使用者が紫外線計を握持したときに、紫外線センサが上空からの紫外線を検出し易い位置に配置されるとともに、操作部が、操作しやすい位置に配置されるため、使用者が簡単かつ即座に紫外線量を測定することができる。
【００１５】
また、本発明に係る紫外線計は、上記の紫外線計のいずれかに加え、次のようにしてもよい。つまり、この場合、取り付け部は、首かけ用の紐を挿通させる孔を有し、その紐に対して本体部を回動自在に接続する。
【００１６】
これにより、使用者は紫外線計を首にかけた状態で、使用者が紫外線計を握持したときに、紫外線センサが上空からの紫外線を検出し易い位置に配置されるとともに、操作部が、操作しやすい位置に配置されるため、使用者が簡単かつ即座に紫外線量を測定することができる。
【００１７】
また、本発明に係る紫外線計は、上記の紫外線計のいずれかに加え、次のようにしてもよい。つまり、この場合、紫外線計は、紫外線の情報を表示する際に使用する電力を表示部に供給する電池と、紫外線センサにより紫外線の量を検出される際に操作される操作部とを備える。そして、表示部は、操作部が操作されてから所定の時間だけ紫外線の情報を表示する。
【００１８】
これにより、電池から供給される電力の消費を少なくすることができ、電池の交換頻度を少なくすることができる。
【発明の効果】
【００１９】
本発明によれば、老人、子供、女性、病人などといった様々な使用者が、直感的に紫外線量を視認することができる。
【発明を実施するための最良の形態】
【００２０】
以下、図に基づいて本発明の実施の形態を説明する。
【００２１】
実施の形態１．
図１は、本発明の実施の形態１に係る紫外線計の外観を示す図である。図１（Ａ）は、実施の形態１に係る紫外線計の正面図であり、図１（Ｂ）は、実施の形態１に係る紫外線計の背面図であり、図１（Ｃ）は、実施の形態１に係る紫外線計の右側面図である。この紫外線計は、携帯可能な小型のものである。
【００２２】
図１において、本体部１は、中空の円形平板状の形状を有する。本体部１の表（おもて）面（図１（Ａ）の面）には、中央に円孔が形成され、例えば樹脂製の透明な円板が固定される。この実施の形態１では、本体部１は、透明な円盤を除きＡＢＳ（Acrylonitrile Butadiene Styrene ）樹脂製とされ、約４５ミリメートルの直径を有する。本体部１は、内部に電気回路および電池を内蔵する。また、紫外線センサ１１は、本体部１の側面に設けられており、紫外線の量を検出する。この紫外線センサ１１は、中空の円柱形状を有する透明なキャップ１ｃで覆われ、このキャップ１ｃの先端部にセンサホルダとともに設置される。また、キャップ１ｃ内面と紫外線センサ１１との間には、紫外線センサ１１が良好に紫外線を検出するために、図示せぬ光学フィルタが設けられる。
【００２３】
表示部１ａは、本体部１の一方の平面側に設けられ、紫外線センサ１１により検出された紫外線の量を、紫外線の強さを示す所定のカラーコードによる表示、紫外線の強さを示す所定の文字列による表示、ＵＶインデックス値による表示、および紫外線センサ１１の測定値の即値による表示で同時に表示する。この表示部１ａは、上述の本体部１の透明な円板の裏側に配置され、液晶、およびカラーコードに配色されたバックパネルで構成される。この表示部１ａは、約３５ミリメートルの直径の円形領域を有する。この実施の形態では、バックパネルは、ガラス板で構成され、カラーコードは、ガラス板の裏面に印刷される。なお、このカラーコードは、液晶の裏側に配置されるリフレクタの表面に印刷されるようにしてもよい。
【００２４】
図２は、実施の形態１に係る紫外線計の表示部１ａの詳細を示す図である。図２において、ＵＶインデックス表示部２１は、円形の表示部１ａの中央に配され、液晶で、検出された紫外線量のＵＶインデックス値を１桁または２桁の数字（例えば１〜１１）で表示する。
【００２５】
また、文字列表示部２２は、ＵＶインデックス表示部２１の下方に配され、ＵＶインデックス値に応じて、液晶で、「弱い」、「中程度」、「強い」、「非常に強い」および「極端に強い」のいずれかの文字列を、検出された紫外線量に応じて表示する。なお、ＵＶインデックスが０である場合にはいずれの文字列も表示されない。また、ＵＶインデックスが１〜２である場合には文字列「弱い」が、ＵＶインデックスが３〜５である場合には文字列「中程度」が、ＵＶインデックスが６〜７である場合には文字列「強い」が、ＵＶインデックスが８〜１０である場合には文字列「非常に強い」が、ＵＶインデックスが１１以上である場合には文字列「極端に強い」が、表示される。
【００２６】
また、即値表示部２３は、文字列表示部２２の下方に配され、液晶で、紫外線センサ１１により検出された紫外線量の所定の単位の即値を、１〜３桁の数字で表示する。
【００２７】
また、レベルインジケータ部２４は、ＵＶインデックス表示部２１の外周に円弧状に配され、液晶で、紫外線センサ１１により検出された紫外線量に応じた本数のバー２４ａを表示する。さらに、レベルインジケータ部２４は、ＵＶインデックス値が１、２、３、・・・、１０のそれぞれである場合に対応するバー２４ａに隣接するドット２４ｂ１を表示する。このドット２４ｂ１は、通電時（スタンバイ時、測定時および表示時）には常時表示される。また、ＵＶインデックス値が１１である場合に対応するバー２４ａに隣接するクロス２４ｂ２が、ドット２４ｂ１と同様に表示される。
【００２８】
レベルインジケータ部２４の背面のバックパネルには、世界保健機関ＷＨＯにより国際的に取り決められた紫外線強度を示すカラーコードが配色される。このカラーコードは、１〜２のＵＶインデックスに対して緑色を、３〜５のＵＶインデックスに対して黄色を、６〜７のＵＶインデックスに対して橙色を、８〜１０のＵＶインデックスに対して赤色を、１１以上のＵＶインデックスに対して紫色を、割り当てている。図２では、バックパネルにおける領域２４ｃの色が緑色とされ、領域２４ｄの色が黄色とされ、領域２４ｅの色が橙色とされ、領域２４ｆの色が赤色とされ、領域２４ｇの色が紫色とされる。
【００２９】
図１に戻り、取り付け部１ｂは、本体部１の側面において、円形の表示部１ａの頂点の角度に、本体部１を懸垂させるために設けられた部材または部分であって、それぞれ略円柱形状の頭部１ｂ１と軸部１ｂ２を有する。頭部１ｂ１は、軸部１ｂ２の軸方向を中心に回動可能にして、軸部１ｂ２に取り付けられる。また、頭部１ｂ１には、軸部１ｂ２に垂直な方向に挿通孔１ｅが設けられる。挿通孔１ｅは、首かけ用の紐１０１が挿通可能なように成形される。なお、軸部１ｂ２は、本体部１と一体成形してもよい。あるいは、頭部１ｂ１と軸部１ｂ２を一体として、取り付け部１ｂを本体部１へ回動自在に取り付けるようにしてもよい。
【００３０】
また、操作ボタン１ｄは、ステンレス製であって円筒形に形成され、取り付け部１ｂで本体部１を懸垂させた場合に本体部１の側面の上側半分のいずれかの位置であって紫外線センサ１１に対して取り付け部１ｂを挟んで対向する位置に設けられ、紫外線センサ１１により紫外線の量を検出される際に操作されるボタンスイッチである。
【００３１】
なお、実施の形態１では、表示部１ａの中心から見て、紫外線センサ１１（キャップ１ｃ）および操作ボタン１ｄは、取り付け部１からそれぞれ４５度の位置に設けられる。
【００３２】
図３は、実施の形態１に係る紫外線計の内部の電気的な構成を示すブロック図である。図３において、制御回路３１は、操作ボタン１ｄに対する押下操作を検出し、紫外線センサ１１の検出値に基づいて、検出された紫外線量に対応するＵＶインデックス値、紫外線量即値、強度を示す文字列、レベルインジケータ部２４において表示させるバー２４ａ等を特定し、それらの情報を、表示部１ａに供給する回路である。また、電源３２は、紫外線量の測定および紫外線の情報を表示する際に使用する電力を制御回路３１および表示部１ａに供給する電源である。この実施の形態１では、電源３２は、ボタン電池などの一次電池あるいは二次電池とされる。
【００３３】
次に、上記紫外線計の動作について説明する。
【００３４】
上記紫外線計の使用時には、使用者は、例えば、紐１０１により当該紫外線計を首に掛けておき、適宜、本体部１を手にとり回動させて、表示部１ａを顔の方へ向ける。そのとき、紐１０１および取り付け部１ｂにより当該紫外線計が懸垂した姿勢で使用者が手にとるため、表示部１ｂ上下方向が使用者の上下方向に一致するとともに、紫外線センサ１１が水平方向より上方を向く。図１では、紫外線センサ１１は水平から上方４５度の方向を向く。
【００３５】
そして、使用者が操作ボタン１ｄを所定の時間（例えば２秒間）押下すると、電源３２から制御回路３１および表示部１ａへの電力供給が開始され、制御回路３１は、操作ボタン１ｄの押下を電気的に検知する。
【００３６】
制御回路３１は、操作ボタン１ｄの押下を検知すると、紫外線センサ１１の出力値を検出し、その検出値から、紫外線量の所定の単位の即値およびＵＶインデックス値を計算し、さらに、それらの値から、紫外線強度を示す文字列、およびレベルインジケータ部２４において表示する１または複数のバー２４ａを特定する。
【００３７】
制御回路３１は、紫外線量の即値およびＵＶインデックス値の計算、紫外線強度を示す文字列、およびレベルインジケータ部２４において表示する１または複数のバー２４ａの特定を完了すると、表示部１ａに制御信号を供給し、その紫外線量の即値、ＵＶインデックス値、紫外線強度を示す文字列、および１または複数のバー２４ａを、表示部１ａの即値表示部２３、ＵＶインデックス表示部２１、文字列表示部２２、およびレベルインジケータ部２４に、同時に、それぞれ所定の時間（例えば１５秒間）だけ連続して表示させる。なお、図１（Ａ）および図２に示す表示部１ａは、液晶の配置を示すために、液晶で表示可能なすべての文字および図形を示しているが、実際の使用時には、これらのうち、紫外線量の測定値に応じた部分のみが表示される。
【００３８】
制御回路３１は、所定の時間が経過すると、スタンバイモードに移行し、紫外線量の測定を停止してＵＶインデックス表示部２１に「−」を、即値表示部２３に「−−−」を表示させる。また、スタンバイモードでは、ＵＶインデックス表示部２１では「ＵＶ−Ｉｎｄｅｘ」の文字列が表示され、即値表示部２３では単位の文字列「ｍＷ／ｍ２ 」が表示され、レベルインジケータ部２４ではドット２４ｂ１とクロス２４ｂ２のみが表示される。その後、使用者が操作ボタン１ｄを所定の時間（例えば２秒）連続して押下すると、電源３２から制御回路３１および表示部１ａへの電力供給が終了される。電力供給がなくなると、図２に示す表示部１ａのすべての液晶表示は消える。
【００３９】
以上のように、上記実施の形態１に係る紫外線計は、平板状の本体部１と、本体部１の側面に設けられた、紫外線の量を検出する紫外線センサ１１と、本体部１の一方の平面側に設けられ、紫外線センサ１１により検出された紫外線の量を、紫外線の強さを示す所定のカラーコードによる表示、紫外線の強さを示す所定の文字列による表示、ＵＶインデックス値による表示、および紫外線センサの測定値の即値による表示で同時に表示する表示部１ａとを備える。これにより、カラーコードの色、文字列、ＵＶインデックス値および測定値の即値という４つの表示形態で同時に紫外線量の情報を表示するため、老人、子供、女性、病人などといった様々な使用者が、直感的に紫外線量を視認することができる。
【００４０】
なお、表示部１ａは、紫外線センサ１１により検出された紫外線の量を、紫外線の強さを示す所定のカラーコードによる表示、紫外線の強さを示す所定の文字列による表示、およびＵＶインデックス値による表示で同時に表示するだけでもよく、その場合でも、カラーコードの色、文字列、およびＵＶインデックス値という３つの表示形態で同時に紫外線量の情報を表示するため、老人、子供、女性、病人などといった様々な使用者が、直感的に紫外線量を視認することができる。
【００４１】
また、上記実施の形態１に係る紫外線計は、さらに、本体部１の側面に設けられ本体部１を懸垂させる取り付け部１ｂを備える。そして、紫外線センサ１１は、取り付け部１ｂで本体部１を懸垂させた状態における本体部１の側面の上側半分のいずれかの位置に設けられ、紫外線の量を検出する。これにより、使用者が紫外線計を握持したときに紫外線センサ１１が上空からの紫外線を検出し易い位置に配置されるため、使用者が簡単かつ即座に紫外線量を測定することができる。
【００４２】
また、上記実施の形態１に係る紫外線計は、取り付け部１ｂで本体部１を懸垂させた場合に本体部１の側面の上側半分のいずれかの位置であって紫外線センサ１１に対して取り付け部１ｂを挟んで対向する位置に、紫外線センサ１１により紫外線の量を検出される際に操作される操作部として操作ボタン１ｄを備える。これにより、使用者が紫外線計を握持したときに、紫外線センサ１１が上空からの紫外線を検出し易い位置に配置されるとともに、操作ボタン１ｄが、操作しやすい位置に配置されるため、使用者が簡単かつ即座に紫外線量を測定することができる。
【００４３】
また、上記実施の形態１によれば、取り付け部１ｂは、首かけ用の紐１０１を挿通させる孔１ｅを有し、その紐１０１に対して本体部１を回動自在に接続する。これにより、使用者は紫外線計を首にかけた状態で、使用者が紫外線計を握持したときに、紫外線センサ１１が上空からの紫外線を検出し易い位置に配置されるとともに、操作ボタン１ｄが、操作しやすい位置に配置されるため、使用者が簡単かつ即座に紫外線量を測定することができる。
【００４４】
また、上記実施の形態１に係る紫外線計は、紫外線の情報を表示する際に使用する電力を表示部１ａに供給する電池である電源３２と、紫外線センサ１１により紫外線の量を検出される際に操作される操作ボタン１ｄとを備える。そして、表示部１ａは、操作ボタン１ｄが操作されてから所定の時間だけ紫外線の情報を表示する。これにより、電源（電池）３２から供給される電力の消費を少なくすることができ、電池の交換頻度を少なくすることができる。
【００４５】
実施の形態２．
本発明の実施の形態２に係る紫外線計は、実施の形態１とは異なる表示形態で、検出された紫外線量を表示する。
【００４６】
図４は、本発明の実施の形態２に係る紫外線計の表示部４１の詳細を示す図である。図４に示す表示部４１は、紫外線計において、実施の形態１の表示部１ａと同様の位置に配される。
【００４７】
ＵＶインデックス表示部５１は、１１個の円形の数字表示部５１ａを表示部の外周に沿って配置したもので、液晶で、検出された紫外線量のＵＶインデックス値を１桁または２桁の数字（例えば１〜１１）で表示する。数字表示部５１ａの数字以外の領域は、その数字表示部５１ａのＵＶインデックス値に対応するカラーコードに着色される。
【００４８】
また、文字列表示部５２は、表示部４１の中央下側に配され、液晶で、「弱い」、「中程度」、「強い」、「非常に強い」および「極端に強い」のいずれかの文字列を、検出された紫外線量に応じて表示する。
【００４９】
また、即値表示部５３は、表示部４１の中央上側に配され、液晶で、紫外線センサ１１により検出された紫外線量の即値を、１〜３桁の数字で表示する。
【００５０】
なお、実施の形態２に係る紫外線計のその他の構成および動作については、実施の形態１と同様であるので、その説明を省略する。
【００５１】
以上のように、上記実施の形態２によれば、実施の形態１と同様に、老人、子供、女性、病人などといった様々な使用者が、直感的に紫外線量を視認することができる。
【００５２】
なお、上述の各実施の形態は、本発明の好適な例であるが、本発明は、これらに限定されるものではなく、本発明の要旨を逸脱しない範囲において、種々の変形、変更が可能である。
【００５３】
例えば、表示部１ａ内のＵＶインデックス表示部、文字列表示部、即値表示部およびレベルインジケータ部の配置は、実施の形態１，２の配置に限定されるものではない。
【００５４】
また、上記実施の形態１，２における本体部１は円板状の形状を有するが、楕円板状、四角板状、三角板状などといった他の形状でもよい。
【産業上の利用可能性】
【００５５】
本発明は、例えば、携帯用の紫外線計に適用可能である。
【図面の簡単な説明】
【００５６】
【図１】図１は、本発明の実施の形態１に係る紫外線計の外観を示す図である。
【図２】図２は、実施の形態１に係る紫外線計の表示部の詳細を示す図である。
【図３】図３は、実施の形態１に係る紫外線計の内部の電気的な構成を示すブロック図である。
【図４】図４は、本発明の実施の形態２に係る紫外線計の表示部の詳細を示す図である。
【符号の説明】
【００５７】
１  本体部
１ａ  表示部
１ｂ  取り付け部
１ｄ  操作ボタン（操作部）
１ｅ  孔
１１  紫外線センサ
３２  電源（電池）
１０１  紐
【図１】
2006214762.tif 000003
【図２】
2006214762.tif 000004
【図３】
2006214762.tif 000005
【図４】
2006214762.tif 000006